(57)【特許請求の範囲】
【請求項１】
本体部と、本体部上部の両側から側方に突出する弾性片と、本体部下部の両側から側方に突出する当接片とを有し、下框のパネル取付溝内に取付けるものであり、本体部は、上面にパネルの端面が載置されるものであり、弾性片と当接片は、下框のパネル取付溝内に取付けたときに上側に曲がるように弾性変形するものであり、弾性片と当接片の先端部がパネル取付溝の側壁に当接すると共に、本体部の下面がパネル取付溝の溝底に当接し、本体部の上面が略平坦であり、パネル取付溝内に取付けた状態で両弾性片間の間隔がパネルの厚みより大きく、本体部の上面と弾性片との間にシール受け部を形成し、弾性片及び当接片の基部又は中間部に薄肉部が設けてあることを特徴とするセッティングブロック。
【発明の詳細な説明】
【技術分野】
【０００１】
本発明は、下框のパネル取付溝内に取付けて、パネルの端面を支持するセッティングブロックに関する。
【背景技術】
【０００２】
従来、サッシの障子においては、下框の框内周側に形成したパネル取付溝の溝底部にセッティングブロックを設置し、ガラス等からなるパネルの下端面をセッティングブロックの上面に載置した上で、パネル縁部の両側面とパネル取付溝との隙間にバックアップ材とシール材、若しくはグレージングチャンネルを介在させて、パネルの縁部をパネル取付溝に保持している。セッティングブロックは、合成樹脂やゴム等で形成した四角形断面の棒状の部材であり、セッティングブロックをパネル取付溝内に設置するにあたっては、単にパネル取付溝内に置いただけでは設置後に位置がずれたりパネル取付溝から抜け落ちたりするので、セッティングブロックの下面をパネル取付溝の溝底に両面テープや接着剤により接着して固定している。
【発明の開示】
【発明が解決しようとする課題】
【０００３】
上述のように、従来はセッティングブロックをパネル取付溝の溝底に両面テープや接着剤で固定しなければならないため、セッティングブロックの設置作業が煩雑であった。本発明は以上に述べた実情に鑑み、パネル取付溝内に設置する際に両面テープや接着剤で固定する必要のないセッティングブロックの提供を目的とする。
【課題を解決するための手段】
【０００４】
上記の課題を達成するために本発明のセッティングブロックは、本体部と、本体部上部の両側から側方に突出する弾性片と、本体部下部の両側から側方に突出する当接片とを有し、下框のパネル取付溝内に取付けるものであり、本体部は、上面にパネルの端面が載置されるものであり、弾性片と当接片は、下框のパネル取付溝内に取付けたときに上側に曲がるように弾性変形するものであり、弾性片と当接片の先端部がパネル取付溝の側壁に当接すると共に、本体部の下面がパネル取付溝の溝底に当接し、本体部の上面が略平坦であり、パネル取付溝内に取付けた状態で両弾性片間の間隔がパネルの厚みより大きく、本体部の上面と弾性片との間にシール受け部を形成し、弾性片及び当接片の基部又は中間部に薄肉部が設けてあることを特徴とする。
【発明の効果】
【０００５】
本発明によるセッティングブロックは、本体部上部の両側から側方に突出する弾性片と、本体部下部の両側から側方に突出する当接片を有し、下框のパネル取付溝内に押し込むと、弾性片と当接片は上側に曲がるように弾性変形し、弾性片と当接片の先端部がパネル取付溝の側壁に当接すると共に、本体部の下面がパネル取付溝の溝底に当接することでパネル取付溝内に保持されるので、両面テープや接着剤により固定しなくても、パネル取付溝内で移動したりパネル取付溝から抜け落ちたりすることがなく、セッティングブロックの設置が容易となる。しかも、パネル取付溝の溝幅が異なる下框等に対して、一種類のセッティングブロックを兼用できる。さらに、本体部の上面が略平坦で、パネル取付溝内に取付けた状態で両弾性片間の間隔がパネルの厚みより大きいため、本セッティングブロックをパネル取付溝内に先に設置してから、パネル取付溝内にパネルを容易に納めることができ、尚且つ本体部の上面と弾性片との間にシール受け部が形成されるため、パネルを固定する作業も容易に行え、施工性が良好であると共に、厚みが異なるパネルに対してもセッティングブロックを兼用できる。また、弾性片及び当接片の基部又は中間部に薄肉部が設けてあることで、弾性片と当接片が上側に曲がり易く、セッティングブロックをパネル取付溝内に嵌め込むのが容易である。
【発明を実施するための最良の形態】
【０００６】
以下、本発明の実施の形態を図面に基づいて説明する。図２は、本発明の一実施形態に係るセッティングブロック９の平面図と正面図であり、図１は、下框１０のパネル取付溝５に本セッティングブロック９を設置し、パネル４の下縁部をパネル取付溝５内に嵌め込んで保持する際の手順を順に示す縦断面図である。
【０００７】
本セッティングブロック９は、塩化ビニル樹脂等の合成樹脂を押出成形して棒状に形成したものであり、図２（ａ）（ｂ）に示すように、略長方形断面の本体部１と、本体部１上部の両側から側方に突出して設けたフィン状の弾性片２，２と、本体部１下部の両側から側方に突出して設けたフィン状の当接片３，３とを有している。セッティングブロック９の長さは、４０ｍｍ程度としている。
本体部１は、上面１１が平坦に形成してあって、その上面１１にパネル４の下端面が載置される。本体部１の下面には溝１２が２本形成してあり、本体部１の下面がパネル取付溝５の溝底６に当接する溝底当接部１３となっている。
各弾性片２は、斜め上向きに１５°程度傾斜して設けてあり、中間部の上面側に溝１４を形成することにより薄肉部１９を設け、薄肉部１９で上側に折れ曲がるようにしてあると共に、本体部１との連結部の下面側に溝１５を形成することにより弾性片２と本体部１との連結部に薄肉部２０を設け、薄肉部２０で上側に曲がりやすくしている。
各当接片３は、斜め上向きに３０°程度傾斜して設けてあり、当接片３の上面と本体部１の側面とのコーナー部に溝１６を形成することにより当接片３と本体部１との連結部に薄肉部２１を設け、当接片３が薄肉部２１で上側に曲がりやすくしている。
【０００８】
本セッティングブロック９は、図１（ａ）に示すように、下框１０のパネル取付溝５に押し込むと、両側の当接片３，３は根元側の薄肉部２１で上側に曲がるように弾性変形して先端部がパネル取付溝の側壁７，７に当接し、弾性片２，２は中間部の薄肉部１９と根元側の薄肉部２０の２箇所で上側に曲がるように弾性変形して先端部がパネル取付溝の側壁７，７に当接する。セッティングブロック９をパネル取付溝５内にさらに押し込むと、図１（ｂ）に示すように、本体部１下面の溝底当接部１３がパネル取付溝５の溝底６に当接し、弾性変形した弾性片２，２と当接片３，３の先端部が、弾性的にパネル取付溝５の側壁７，７に当接するため、セッティングブロック９がパネル取付溝５内に動かないように保持される。下框１０を傾けたり逆さにしたときなどに、セッティングブロック９がパネル取付溝５から外れそうになっても、弾性片２，２の先端部がパネル取付溝側壁７，７の上部に形成してある内向き突部８，８に係止するため、セッティングブロック９がパネル取付溝５から外れることがない。
その後、図１（ｃ）に示すように、パネル４の下縁部をパネル取付溝５内に差し込んで下端面をセッティングブロック本体部１の上面１１に載置し、パネル４の両側面とパネル取付溝５の側壁７，７との間の隙間にバックアップ材１７，１７をそれぞれ装着し、バックアップ材１７，１７の上からシール材１８，１８を充填して、パネル４とパネル取付溝５の間の隙間をシールする。なお、バックアップ材１７とシール材１８でパネル４を保持する代わりに、グレージングチャンネルを使用してもよい。本セッティングブロック９は、弾性片２，２と当接片３，３がパネル取付溝５の側壁７，７に当接できる範囲内で、パネル取付溝５の溝幅の異なる下框１０に対して、兼用することができる。
【０００９】
図３に示すように、セッティングブロック９を下框１０のパネル取付溝５内に設置した状態で、弾性片２，２の先端部がパネル取付溝側壁７，７の内向き突部８，８に常に係止するようにすることもできる。このようにすることで、セッティングブロック９の浮き上がりを防止して、セッティングブロック９をより一層確実にパネル取付溝５内に保持できる。
【００１０】
本発明は以上に述べた実施形態に限定されない。本体部と弾性片と当接片は、同一の材質で形成したものに限らず、例えば本体部を硬質樹脂で形成し、弾性片と当接片を軟質樹脂で形成したものであってもよい。弾性片と当接片は、本体部との連結部や中間部で上側に曲がるように弾性変形するものであればよく、例えば、本体部との連結部に下方から切り込みを入れることで、弾性片と当接片が根元から上側に曲がるように弾性変形するようにしてもよい。本発明のセッティングブロックは、パネル取付溝内でパネルの端面を支持するために広く用いることができ、サッシの障子に限らず、カーテンウォールの無目等に用いることもできる。
【図面の簡単な説明】
【００１１】
【図１】（ａ）は、本発明のセッティングブロックを下框のパネル取付溝に押し込むときの状態を示す縦断面図であり、（ｂ）は、同セッティングブロックをパネル取付溝内に設置した状態を示す縦断面図であり、（ｃ）は、同セッティングブロック上にパネルを載置しパネル縁部をパネル取付溝に保持した状態を示す縦断面図である。
【図２】（ａ）は本発明のセッティングブロックの平面図であり、（ｂ）は本発明のセッティングブロックの正面図である。
【図３】本発明のセッティングブロックの他の実施形態を示す、下框のパネル取付溝内に設置した状態での縦断面図である。
【符号の説明】
【００１２】
１  本体部
２  弾性片
３  当接片
４  パネル
５  パネル取付溝
６  パネル取付溝の溝底
７  パネル取付溝の側壁
８  内向き突部（係止部）
９  セッティングブロック
１０  下框
１９，２０，２１  薄肉部
【図１】
0004765111.tif 000002
【図２】
0004765111.tif 000003
【図３】
0004765111.tif 000004